(57)【要約】【課題】ボール側方に障害がある場合等にも振り抜き易いと共に、打球面を目標ラインに合わせ易く、打球時の方向安定性を向上させたマレットゴルフクラブを提供する。【解決手段】本発明のマレットゴルフクラブは、シャフト５と、このシャフト５の先端に取り付けられ、少なくとも一方の端部に打撃面１０ａを形成した円筒形のヘッド１０とを有する。そして、ヘッド１０の他方の端部側に、円柱状の小径部１０ｃを形成したことを特徴とする。【選択図】    図１
2005152099.tif 000002
【特許請求の範囲】
【請求項１】
シャフトと、このシャフトの先端に取り付けられ、少なくとも一方の端部に打撃面を形成した円筒形のヘッドとを有するマレットゴルフクラブであって、
前記ヘッドの他方の端部側に、円柱状の小径部を形成したことを特徴とするマレットゴルフクラブ。
【請求項２】
前記ヘッドのシャフトが取り付けられるシャフト取付部は、ヘッドの長手方向中心よりも前記一方の端部の打撃面側に設けられたことを特徴とする請求項１に記載のマレットゴルフクラブ。
【請求項３】
前記ヘッドの他方の端部に、打撃面を形成したことを特徴とする請求項１又は２に記載のマレットゴルフクラブ。
【発明の詳細な説明】
【技術分野】
【０００１】
本発明は、マレットゴルフクラブに関し、詳細には、ヘッド部分に特徴を有するマレットゴルフクラブに関する。
【背景技術】
【０００２】
従来、マレットゴルフと称されるスポーツがあり、特に、自然環境の豊かな地域では盛んに行なわれている。マレットゴルフは、いわゆるゲートボールにゴルフの要素を加味したスポーツであり、使用される用具（マレットゴルフクラブ）は、一定のルールの範囲内で定められており、例えば、特許文献１や特許文献２に開示されているように、シャフトと、そのシャフトの先端に装着される円筒形のヘッドによって構成されている。
【０００３】
前者のマレットゴルフクラブは、ヘッドの底面部を、側面視で略円弧状に反らせると共に、シャフトから下方に延びる延長線が、ヘッド長手方向中心位置よりも打撃面のある前方位置を通る構造となっている。このような構造のマレットゴルフクラブによれば、底面部の円弧形状によって、スイング時の上下動や地面の凹凸に対して地面を擦ることが防止できる。また、後者のマレットゴルフクラブは、打撃面後方をテーパ状に縮径させた、いわゆる弾丸形状となっており、打球した後の抜けが向上するように構成されている。
【特許文献１】特開平８−１６８５４３号
【特許文献２】特開２００２−２０４８４３号
【発明の開示】
【発明が解決しようとする課題】
【０００４】
上記した特許文献１に開示されたマレットゴルフクラブは、上記したようにスイング時に地面を擦ることが防止できるが、コース上の窪み等にボールが落ち込んだ際や、ボール側方に障害物がある際には、スイング時にヘッド側方（特にヘッド後方の側方）が当接し易く、飛距離の低下や所望の打球方向とならず、振り抜き性を更に向上する余地がある。また、特許文献２に開示されたマレットゴルフクラブは、打撃面後方が縮径しているため、打った後の抜けは向上するが、アドレスした際に、ヘッド側方が傾斜した状態にあるため、目標ラインにヘッドを沿わせ難くなり、打球面を目標ラインに合わせ難いという問題がある。
【０００５】
本発明は、上記した問題に着目してなされたものであり、ボール側方に障害がある場合等にも振り抜き易いと共に、打球面を目標ラインに合わせ易く、打球時の方向安定性を向上させたマレットゴルフクラブを提供することを目的とする。
【課題を解決するための手段】
【０００６】
上記した課題を解決するために、本発明に係るマレットゴルフクラブは、シャフトと、このシャフトの先端に取り付けられ、少なくとも一方の端部に打撃面を形成した円筒形のヘッドとを有し、前記ヘッドの他方の端部側に、円柱状の小径部を形成したことを特徴とする。
【０００７】
このような構成によれば、ヘッドは、打撃面と反対側が円柱状の小径部として構成されているため、シャフトを握ってアドレスした際、小径部が直線状になっていることから、目標ラインにヘッドを沿わせ易くなる。また、打撃面の反対側となるヘッドの後方側が小径化されているため、スイングした際の降り抜き性が向上すると共に、ボールの側方に障害物があっても、スイング時にヘッド側方が当接し難くなる。
【発明の効果】
【０００８】
本発明に係るマレットゴルフクラブによれば、ボール側方に障害がある場合等にも振り抜き易いと共に、打球面を目標ラインに合わせ易く、打球時の方向安定性が向上する。
【発明を実施するための最良の形態】
【０００９】
図１〜図３は、本発明に係るマレットゴルフクラブの一実施形態を示す図であり、図１は、全体構成を示す側面図、図２は、図１をＡ方向から見た図、そして、図３は、ヘッド部分の断面図である。
【００１０】
マレットゴルフクラブ１は、シャフト５、及びこのシャフト５の先端に取り付けられる円筒形のヘッド１０とを備えて構成されており、シャフト５は、金属、又はカーボン繊維強化樹脂等によって形成され、ヘッド１０は、アルミ等の金属部材によって形成されている。前記シャフト５の基端側には、所定の長さのグリップ７が取着されると共に、シャフト５の先端側は、ヘッド１０に装着されるシャフト取付部材１２の固定孔１２ａに差し込まれて接着等されることで、ヘッド１０に取り付け、固定される。
【００１１】
前記ヘッド１０は、円筒形に形成されると共に、その内部には、中空部１３が形成されている。この中空部を規定するヘッド１０の上面側には、シャフト取付部材１２が差し込まれる保持孔１５が形成されており、かつ中空部を規定する下面側には、シャフト取付部材１２の先端を差し込んで固定する凹部（穴）１６が形成されている。前記保持孔１５の上部には、段部１５ａが形成されており、ここにシャフト取付部材１２の外周に形成された突部１２ｂが当て付いて位置決め、固定される。また、シャフト取付部材１２の固定孔１２ａの下方側には、段部１２ｃが形成されており、差し込まれるシャフト５の先端を当て付けて位置決め固定するようになっている。
【００１２】
上記したように、シャフト取付部材１２をヘッド１０の上面側に貫通させて固定すると共に、その先端部を下面側に形成された凹部１６に挿入固定することで、それに装着されるシャフト５のヘッドに対する取り付け強度の向上が図れる。また、シャフト取付部材１２の段部１２ｃは、ヘッド１０の凹部１６に達しない程度の位置に形成されており、これにより、凹部１６に対する挿入端を肉厚にすることができ、取り付け強度をより向上することが可能となる。
【００１３】
なお、シャフト取付部材１２とヘッド５の止着は、接着剤によって行なったり、或いはシャフト取付部材１２の外周に雄ネジ部１２ｄを形成し、これをヘッドの保持孔１５に形成された雌ネジ１５ｂに螺合させる構成であっても良い。或いは、螺合と接着の両手段によって固定することで、より取り付け強度を向上することが可能となる。また、シャフト取付部材１２のヘッド１０に対する取り付け位置は、長手方向中心よりも後述する大径の打撃面側にすることが好ましい。
【００１４】
前記円筒形のヘッド１０の一方の端部に形成される打撃面１０ａは、ヘッド１０の材料自身によって一体形成したものであっても良いが、図に示すように、ボールに対する反発性等を考慮して、より好ましい素材によって形成された蓋状の打撃部材２０の端面１０ａによって構成しても良い。この場合、打撃部材２０は、チタン、チタン合金、ジュラルミン等のアルミ合金等によって形成されており、ヘッド１０の端部に形成された開口との間で、螺合及び／又は接着によって固定されている。なお、打撃部材２０とヘッド１０は、両者の表面が面一状になるように形成されている。
【００１５】
また、前記打撃面１０ａは、ボールを打撃し、転がす方向の目標ラインに対して直交する平面を有するが、例えば、凹凸面や上方に向かった傾斜面によって形成しても良い。
【００１６】
上述したようにヘッド１０は円筒形に形成されるが、打撃面１０ａ側が大径部１０ｂ、その反対側が小径部１０ｃとなるように形成される。このような大径部１０ｂ、及び小径部１０ｃは、クラブを握ってアドレスした際に視認される稜線が、打撃面１０ａに対して略直交（又は、目標ラインに対して略平行）するように形成されており、ターゲット方向に沿わせ易いようになっている。この場合、各大径部１０ｂ、及び小径部１０ｃは、視認される稜線が、打撃面１０ａに対して正確に直交（又は、目標ラインに対して正確に平行）する方向となるように形成することが好ましいが、アドレスした際に、違和感無くターゲット方向に位置合わせできる程度（好ましくは±５°以内）は傾斜していても良い。なお、大径部１０ｂと小径部１０ｃとの間は、図に示すように、大径部から次第に縮径するテーパ部１０ｄによって形成されている。
【００１７】
また、前記大径部と小径部は、略同心円状に位置するように構成されることが好ましい。このように構成することで、３６０°に亘って略均等に縮径することから、振り抜き性の向上が図れる。
【００１８】
また、本実施形態では、小径部１０ｃの端面に、実際にボールを打球する打撃面１０ｅ（小径打撃面）を形成している。この小径打撃面１０ｅは、上記した打撃面１０ａ（大径打撃面）と同様、ヘッド１０とは別の打撃部材３０の端面によって形成されており、ヘッド１０の小径側の端部に形成された開口との間で、螺合及び／又は接着によって固定されている。なお、打撃部材３０とヘッド１０は、両者の表面が面一状になるように形成されている。
【００１９】
次に、上記ヘッド１０の寸法関係について説明する。  
図３に示すように、大径打撃面１０ａの直径Ｄ１は５０ｍｍ、小径打撃面１０ｅの直径Ｄ２は４５ｍｍ、ヘッド１０の軸方向長さＬは１２０ｍｍ〜２４０ｍｍの範囲（本実施形態では１３０ｍｍ）で形成される。ヘッドの大径部１０ｂによる軸方向長さＬ１は６３ｍｍ、小径部１０ｃによる軸方向長さＬ２は３６ｍｍ、テーパ部１０ｄの軸方向長さＬ３は３１ｍｍで形成される。また、シャフト５のヘッド１０に対する取り付け位置は、上述したように、大径打撃面側にシフトされているが、本実施形態では、シャフトの中心から大径打撃面１０ａまでの距離Ｌ４が４６ｍｍ、シャフトの中心から小径打撃面１０ｅまでの距離Ｌ５が８４ｍｍに設定される。このように、大径部にシャフトを取り付けたので、ヘッド内のシャフト取付部が長く形成でき、強度が向上する。
【００２０】
なお、上記したような大径部１０ｂ、及び小径部１０ｃによる打撃面に対して直交する部分（いわゆる、目標ラインに沿うストレート部分）は、好ましくは、ヘッド１０全体の軸方向長さに対して５０％以上あれば、アドレス時に目標ラインに合わせ易くなる。或いは、ヘッド外径と同程度以上あることが好ましい。すなわち、目標ラインに直交する長さよりも目標ラインに沿った長さが長い方が、目標ラインに合わせ易くなる。
【００２１】
上記した構成のマレットゴルフクラブによれば、以下の作用効果が得られる。  
円筒形のヘッド１０に、小径部１０ｃを形成したことで、コース上の起伏のみならず、ボール側方の障害物に対しても振り抜き易くなる。また、小径部は、打撃面１０ａに対して略直交する方向にストレート状に形成されていることから、アドレスした際に目標ラインに沿わせて構え易くなり、打撃面が目標ラインと直角になり、目標ラインに沿ってボールを転がし易くなる。
【００２２】
また、シャフトのヘッドに対する取り付け位置を、打撃面１０ａ側にシフトさせたことで、アドレスした際、ボールを体の中心近傍で打球し易くなり、方向性が安定すると共に、ヘッドのブレが生じ難くなって、ターゲット方向に向けてボールを打球し易くなる。また、円柱状の小径部１０ｃ、及び小径打撃面１０ｅによって、ボールの下側を打撃しやすく、バンカーショット等において、ボールを上げやすく脱出が容易になる。
【００２３】
さらに、上記した構成において、シャフトの取り付け位置を、大径打撃面１０ａ側にシフトさせたことによって、同様なスイングで打球のスピードを変化させることが可能になる。具体的には、図４（ａ），（ｂ）の比較図で示すように、両打撃面とも体の略中心Ｐで打撃を行なうようにスイングした場合、大径の打撃面１０ａで打撃すると、θ１が小さくなり、ボールBに対して浅い角度で打球できるため、飛距離を出す打撃が行なえるようになる。また、小径の打撃面１０ｅで打撃する場合、同様に体の略中心Pで打撃を行なうようにスイングすると、θ２が大きくなり、ボールBに対して深い角度で打球できるため、ボールを押し付ける傾向となって、スピードを抑える打球が可能となる。これは、言い換えれば、打撃角度θ１、θ２の角度を変化させた打撃が略体の中心Pで安定したスイングで行なえることとなり、打撃を安定させて、打球の状態を変化させることが容易に行なえるようになる。
【００２４】
さらに、ヘッド１０の大径部にシャフト取付部材１２を固定したことで、ヘッド部分を肉厚に形成でき、ヘッドの強度の向上が図れる。
【００２５】
以上、本発明の実施形態について説明したが、本発明は、上述した実施形態以外にも種々変形することが可能である。図５は、ヘッド形状の様々な変形例を示した図である。本発明は、図（ａ），（ｂ）に示すように、シャフト５は、ヘッド１０の中心位置に装着される構成であっても良い。このような構成でも、振り抜き性の向上が図れると共に、アドレスした際に、ヘッドを目標に沿わせ易くすることができる。また、大径部と小径部の境界は、図（ｂ）に示すように、テーパではなく段差１０ｆであっても良い。
【００２６】
また、上記した実施形態（図（ｃ））のように、シャフト５のヘッド１０に対する装着位置をずらす構成であっても、図（ｄ）に示すように、大径部と小径部の境界は段差１０ｆであっても良い。さらに、図（ｅ）に示すように、ヘッドに小径の円柱部を形成するだけで、小径打撃部を形成しない構成であっても良い。
【００２７】
さらに、図示しないがヘッド１０に装着される打撃部材２０，３０は、ヘッドの外表面に対して面一ではなく、例えば、径方向に膨出するような形状であっても良い。
【産業上の利用可能性】
【００２８】
本発明は、マレットゴルフに使用する以外にも、ゲートボールのようなボールをターゲット方向に向けて転がす球技に使用することが可能である。
【図面の簡単な説明】
【００２９】
【図１】本発明に係るマレットゴルフクラブの一実施形態を示す図であり、全体構成を示す側面図。
【図２】図１をＡ方向から見た図。
【図３】ヘッド部分の断面図。
【図４】（ａ）は、大径打撃面で打撃する状態を示す図、（ｂ）は、小径打撃面で打撃する状態を示す図。
【図５】（ａ）〜（ｅ）は、それぞれ本発明に係るマレットゴルフクラブに装着されるヘッドの様々な変形例を示す図。
【符号の説明】
【００３０】
１  マレットゴルフクラブ
５  シャフト
１０  ヘッド
１０ａ，１０ｅ  打撃面
１０ｂ  大径部
１０ｃ  小径部
１２  取付部材
２０，３０  打撃部材
【図１】
2005152099.tif 000003
【図２】
2005152099.tif 000004
【図３】
2005152099.tif 000005
【図４】
2005152099.tif 000006
【図５】
2005152099.tif 000007